【手続補正書】
【提出日】平成30年11月1日(2018.11.1)
【手続補正１】
【補正対象書類名】特許請求の範囲
【補正対象項目名】全文
【補正方法】変更
【補正の内容】
【特許請求の範囲】
【請求項１】
第１の物体へ第２の物体を結合する方法であって、
第１の物体を提供するステップであって、第１の物体は、熱可塑性の液化可能物質を固体状態で含むステップと、
前記第２の物体を提供するステップであって、前記第２の物体は、アンダーカットの付いたカップリング構造体を有し、かつ／またはこのようなアンダーカットの付いたカップリング構造体を含むように変形されることが可能な表面部分を備え、これにより、前記第２の物体は、前記第１の物体とポジティブフィット式に連結することができるステップと、
ツールに機械的振動が結合される間に、第２の物体のカップリングイン構造体と物理接触しているツールによって、第２の物体を第１の物体に押し付けるステップと、
押し付けかつ振動をツールに結合するステップを、第１の物体の熱可塑性物質のフロー部分が液化されて第２の物体のカップリング構造体に流れ込むまで続けるステップと、
前記第１の物体の前記熱可塑性物質を再凝固させて、前記第１および第２の物体間に、前記液化されかつ再凝固されたフロー部分が前記カップリング構造体に染み込むことによりポジティブフィット連結を産出するステップと、を含む方法。
【請求項２】
前記カップリングイン構造体は、近位に面するカップリングイン面または前記第２の物体を振動発生装置へ締め付けるための構造体を備える、請求項１に記載の方法。
【請求項３】
前記第２の物体の前記カップリング構造体は、液化可能でない物質、または前記フロー部分の液化温度より略高い温度で液化可能な物質製である、先行するいずれかの請求項に記載の方法。
【請求項４】
前記第２の物体は、内側部分と外側部分とを、間に間隙を有して備え、前記第２の物体の前記カップリング構造体は、前記内側部分の外部構造体、および／または前記外側部分の内部構造体、および／または前記外側部分の外部構造体を含み、かつ前記フロー部分を流す前記ステップは、流れを前記間隙へと至らせることを含む、先行するいずれかの請求項に記載の方法。
【請求項５】
前記第２の物体は、変形可能部分を有し、前記方法は、押し付けかつ機械的振動を前記ツールに結合する前記ステップによって前記変形可能部分を変形させることを含み、一方で、前記変形可能部分は、前記第１の物体の液化した物質によって少なくとも部分的に取り囲まれる、先行するいずれかの請求項に記載の方法。
【請求項６】
前記第２の物体は、ヘッドまたはブリッジ部分を備え、前記変形可能部分は、前記ヘッドまたはブリッジ部分から遠位へ、中心部から周辺部への固定軸に対して略平行に突き出す、請求項５に記載の方法。
【請求項７】
前記変形可能部分を変形させることは、前記変形可能部分を軸方向から離れて曲げさせることを含む、請求項５または６に記載の方法。
【請求項８】
前記押し付けるステップの間に、前記第１の物体をサポートに当てて置くことをさらに含み、前記サポートは、前記変形を支援する成形構造体を有する、請求項５から７のいずれか１項に記載の方法。
【請求項９】
さらに、第３の物体を前記第２の物体によって前記第１の物体へ固定させる、請求項１から８のいずれか１項に記載の方法。
【請求項１０】
−前記第２の物体を前記第１の物体へ押し付ける前記ステップは、前記第２の物体が前記第３の物体と物理接触して前記第３の物体を前記第１の物体へ固定するまで実行されることと、
−前記第３の物体は、熱可塑性物質を含み、かつ前記第３の物体の前記熱可塑性物質のフロー部分は、前記押し付けおよび前記機械的振動の影響により前記第２の物体と相対的に流されることと、
−前記第３の物体を前記第１の物体に関連して配置する前記ステップにおいて、前記第３の物体は、前記第１の物体の近位に置かれ、かつ前記配置するステップの後、前記第２の物体は、その遠位部分が前記第１の物体に到達して前記第２の物体が前記第１の物体へ押し付けられるまで、前記第３の物体へ浸透され、前記第２の物体を前記第３の物体へ浸透させる前記ステップにおいて、前記第３の物体の物質は、変位させられること、のうちの少なくとも１つが満たされる、請求項９に記載の方法。
【請求項１１】
前記第２の物体は、前記第１の物体の前記熱可塑性物質を再凝固させた後には前記第３の物体の近位に面する表面部分にもたれかかることになるヘッドまたはブリッジ部分を備え、一方で、前記第２の物体の前記遠位部分は、前記第１の物体内に固定される、請求項９または１０に記載の方法。
【請求項１２】
前記第２の物体は、前記フロー部分の少なくとも一部を受け入れることができる複数の横方向に離隔された空洞を有する遠位端面を備え、かつ前記第２の物体を前記第１の物体に押し付けることは、前記遠位端面を前記第１の物体の近位面に押し付けることを含む、請求項１から１１のいずれか１項に記載の方法。
【請求項１３】
前記第２の物体は、前記空洞間に突起を備え、前記第１の物体の前記近位面は、分離平面を画定し、前記突起は、押し付けかつ振動を前記ツールに結合させる前記ステップの後に、前記分離平面の遠位に突き出し、かつ前記空洞は、前記分離平面から内側へ広がり、前記突起の容積は、前記空洞の容積以下である、請求項１２に記載の方法。
【請求項１４】
押し付けかつ振動を前記ツールに結合させる前記ステップにより、前記第２の物体は、前記第１の物体に対して軸方向に浸透深さだけ移動して前記第１の物体内に浸透し、前記浸透深さは、前記第２の物体の横幅より小さい、請求項１２または１３に記載の方法。
【請求項１５】
前記第２の物体が前記押し付けおよび前記機械的振動を受ける間に、保持デバイスを、前記第２の物体の近傍における前記第１の物体の近位面に押し付けることを含む、先行するいずれかの請求項に記載の方法。
【請求項１６】
前記カップリング構造体は、遠位側に開く開口を備え、前記開口は、軸方向に対するアンダーカットを画定する、請求項１から１５のいずれか１項に記載の方法。
【請求項１７】
前記カップリング構造体は、遠位側に開く複数の横方向に離隔された開口を備え、かつ／または、遠位側に開く前記開口は、前記第２の物体の突起を取り囲む、請求項１６に記載の方法。
【請求項１８】
前記第２の物体は、脚、穿孔のうちの少なくとも１つを備える金属シートのシート部分を備える、請求項１から１７のいずれか１項に記載の方法。
【請求項１９】
前記第２の物体は、金属メッシュを備える、請求項１から１８のいずれか１項に記載の方法。
【請求項２０】
前記第２の物体は、本体および前記第１の物体内に固定される突出構造体を備える、請求項１から１９のいずれか１項に記載の方法。
【請求項２１】
先行するいずれかの請求項に記載の方法において、熱可塑性の液化可能物質を固体状態で含む第１の物体へ固定されるための連結エレメントであって、
前記連結エレメントは、アンダーカットの付いたカップリング構造体を有しかつ／またはこのようなアンダーカットの付いたカップリング構造体を含むように変形されることが可能な表面部分を備え、これにより、前記第２の物体は、前記第１の物体とポジティブフィット式に連結することができ、
かつ、前記連結エレメントは、さらに、ツールによって接触されるためのカップリングイン構造体を有し、
前記連結エレメントは、機械的振動が前記ツールに結合される間に前記第１の物体へ、前記第２の物体の前記カップリングイン構造体と物理接触している前記ツールにより、前記第１の物体の前記熱可塑性物質のフロー部分が液化されて前記カップリング構造体に流れ込むまで押し付けられるために装備され、前記熱可塑性物質の再凝固後は、前記液化されかつ再凝固されたフロー部分が前記カップリング構造体に染み込むことにより、前記第１および第２の物体間にポジティブフィット連結が産出される、連結エレメント。
【請求項２２】
内側部分と外側部分とを、間に間隙を有して備え、前記間隙は、遠位側へ開き、前記第２の物体の前記カップリング構造体は、前記内側部分の外部構造体、および／または前記外側部分の内部構造体、および／または前記外側部分の外部構造体を含む、請求項２１に記載の連結エレメント。
【請求項２３】
前記フロー部分の少なくとも一部を受け入れることができる複数の横方向に離隔された空洞を有する遠位端面を備える、請求項２１または２２に記載の連結エレメント。
【請求項２４】
前記空洞間に突起を備える、請求項２３に記載の連結エレメント。
【請求項２５】
軸方向に広がる穴開けされたシートまたはメッシュ部分を備える、請求項２１から２４のいずれか１項に記載の連結エレメント。
【請求項２６】
前記シートまたはメッシュ部分は、前記軸に対して垂直な部分において、少なくとも１つの軸方向位置において、ビードによって曲げられ、または座屈され、またはこれを提供される、請求項２５に記載の連結エレメント。